(57)【要約】  家庭用器具のためのラックアセンブリは、表面上に分散された複数の孔を有するラック（２０４）と、各々がラックに取り付けられて、ラックアセンブリを少なくとも第１の位置及び第２の位置において支持するようにされた、少なくとも２つの支持体（２０６）と、を含み、ラックは非対称構成で支持体に取り付けられて、使用中、ラックの高さは、ラックアセンブリが第１の位置にあるときに第２の位置にあるときよりも高くなる。支持体の各々は、少なくとも１つの脚（２０７）と、少なくとも１つの足（２０９）とを含み、脚はラックに取り付けられており、脚は細長く、ラックは、一方の端部より他方の端部に近い地点で脚の各々に取り付けられる。ラックは、その長さに沿って、約１０から約４０％の地点に取り付けられる。これは、２つの異なる調理の高さ（例えば、低い位置は大きな塊用、及び高い位置はソーセージ等用）を提供し、特にグリル機能をもつ装置（例えば電子レンジ）に適する。一実施形態においては、ラックにおけるクロスバー間の間隔は、ラックの縁よりもラックの中間において小さい。
2009541700.tif 000002
【特許請求の範囲】
【請求項１】
家庭用器具のためのラックアセンブリであって、
表面上に分散された複数の孔を有するラックと、
各々が前記ラックに取り付けられて、前記ラックアセンブリを少なくとも第１の位置及び第２の位置において支持するようにされた、少なくとも２つの支持体と、
を含み、
前記ラックは非対称構成で前記支持体に取り付けられて、使用中、前記ラックの高さは、前記ラックアセンブリが前記第１の位置にあるときに前記第２の位置にあるときよりも高くなるようにすることを特徴とするラックアセンブリ。
【請求項２】
前記少なくとも２つの支持体の各々は、少なくとも１つの脚と、少なくとも１つの足とを含み、前記脚は前記ラックに取り付けられており、
前記脚は細長く、前記ラックは、一方の端部より他方の端部に近い地点で前記脚の各々に取り付けられる
ことを特徴とする請求項１に記載のラックアセンブリ。
【請求項３】
前記支持体の各々に対して、前記ラックは、その長さに沿って、約１０から約４０％の地点に取り付けられることを特徴とする請求項１、請求項２又は請求項３に記載のラックアセンブリ。
【請求項４】
前記ラックは、前記ラックに取り付けられ互いに平行に延びる複数のクロスバーを有するフレームを含み、前記クロスバー間の間隔は前記孔を形成することを特徴とする請求項１、請求項２又は請求項３に記載のラックアセンブリ。
【請求項５】
隣接する前記クロスバー間の間隔は約１０ｍｍから約２５ｍｍであることを特徴とする請求項４に記載のラックアセンブリ。
【請求項６】
隣接する前記クロスバー間の間隔は、前記ラックの縁より前記ラックの中間点において小さいことを特徴とする請求項４又は請求項５に記載のラックアセンブリ。
【請求項７】
隣接する前記クロスバー間の間隔は、前記ラックの前記中間点では約１０ｍｍから約１５ｍｍの間であり、前記ラックの前記縁では約２０ｍｍから約２５ｍｍの間であることを特徴とする請求項６に記載のラックアセンブリ。
【請求項８】
隣接する前記クロスバー間の間隔は、前記中間点から前記端部まで徐々に変化することを特徴とする請求項６又は請求項７に記載のラックアセンブリ。
【請求項９】
前記ラックは、少なくとも４つの辺を有し、例えば正方形又は長方形であり、支持体は前記辺の少なくとも２つに取り付けられることを特徴とする前記請求項のいずれかに記載のラックアセンブリ。
【請求項１０】
各々の前記支持体は、一対の脚と一対の足を含むことを特徴とする請求項９に記載のラックアセンブリ。
【請求項１１】
前記ラックは一般に長方形であり、前記支持体が取り付けられる２つの短い辺を有することを特徴とする請求項９又は請求項１０に記載のラックアセンブリ。
【請求項１２】
前記クロスバーは前記長方形ラックの前記２つの長い辺の間に延びることを特徴とする請求項１１に記載のラックアセンブリ。
【請求項１３】
前記ラックは一般に円形であり、少なくとも３つの支持体を含むことを特徴とする請求項１から請求項８のいずれかに記載のラックアセンブリ。
【請求項１４】
前記支持体は、ロッド状部材を含み、前記足は弾性部材を含み、１つの前記弾性部材は前記ロッド状部材の各々の端部に取り付けられることを特徴とする請求項２又はこれに従属するいずれかの請求項に記載のラックアセンブリ。
【発明の詳細な説明】
【技術分野】
【０００１】
本発明は、家庭用道具に関し、より具体的には、家庭用調理器具のためのラックアセンブリに関する。
本発明は、装置が、伝統的、マイクロ波、スチーム、グリル等又はこれらのあらゆる組み合わせといった調理技術の１つ又はそれ以上を含むことができる家庭用調理器具に使用可能なラックアセンブリに関する。例えば、本発明は、特に電子レンジに関して利点がある。しかしながら、本発明は、独立型であるか又は作り付け設備に適応されているか、すなわち、枠組み或いは外部ハウジング内に取り付けられるか、又は、台所或いは他の家庭用家具に取り付けられているかに関わらず、広範囲の調理器具に適用可能である。
【背景技術】
【０００２】
電子レンジ及び他の家庭用電気器具が、典型的にはオーブン内の回転プラットフォーム上に置かれる、ある種の独立型ラックアセンブリを含み、調理中に食品又は皿又は他の食品の容器を支持するために用いられるのは慣例的なことである。ラックアセンブリは、例えば、グリル機能が使用されるときに、食品をグリル部に近づけ、より効果的に加熱及び／又は焦げ目を付けることができるため、重要になる。公知のラックアセンブリは、後に図１に関連して説明する。
【発明の概要】
【発明が解決しようとする課題】
【０００３】
通常のラックアセンブリは比較的単純な構造であり、単一の立位又は配向しかもたないため、単にラックアセンブリのあるオーブンを使用するか又はラックアセンブリのないオーブンを使用するかということしか選択可能ではないことが問題である。
【０００４】
さらに別の問題は、ラックアセンブリの平らな穿孔部がまた、規則的な、おそらく幅広く離間されたバーをもつ単純構造であり、調理中、食品の小片が安定して支持されずに、その間隔から落ちる可能性があるということである。
【課題を解決するための手段】
【０００５】
本発明は、家庭用器具のためのラックアセンブリを提供し、ラックアセンブリは、表面上に分散された複数の孔を有するラックと、各々がラックに取り付けられて、ラックアセンブリを少なくとも第１の位置及び第２の位置において支持するようにされた、少なくとも２つの支持体と、を含み、ラックは非対称構成で支持体に取り付けられて、使用中、ラックの高さは、ラックアセンブリが第１の位置にあるときに第２の位置にあるときよりも高くなる。
【０００６】
支持体の各々は、少なくとも１つの脚と、少なくとも１つの足とを含み、脚はラックに取り付けられており、脚は細長く、ラックは、一方の端部より他方の端部に近い地点で脚の各々に取り付けられることが好ましい。ラックは、その長さに沿って、約１０から約４０％の地点に取り付けられることが好ましい。
【０００７】
ラックは、ラックに取り付けられ互いに平行に延びる複数のクロスバーを有するフレームを含み、クロスバー間の間隔は孔を形成することが好ましい。隣接するクロスバー間の間隔は約１０ｍｍから約２５ｍｍであることが好適である。
【０００８】
一実施形態においては、隣接するクロスバー間の間隔は、ラックの縁よりラックの中間点において小さい。隣接するクロスバー間の間隔は、ラックの中間点では約１０ｍｍから約１５ｍｍの間であり、ラックの縁では約２０ｍｍから約２５ｍｍの間とすることができる。
【０００９】
別の実施形態においては、隣接するクロスバー間の間隔は、中間点から端部まで徐々に変化する。
【００１０】
一実施形態においては、ラックは、少なくとも４つの辺を有し、例えば正方形又は長方形であり、支持体は辺の少なくとも２つに取り付けられる。各々の支持体は、一対の脚と一対の足を含むことが好ましい。ラックは一般に長方形であり、支持体が取り付けられる２つの短い辺を有する。クロスバーは長方形ラックの２つの長い辺の間に延びることが好ましい。
【００１１】
別の実施形態においては、ラックは一般に円形であり、少なくとも３つの支持体を含む。
【００１２】
支持体は、ロッド状部材を含むことができ、足は弾性部材を含むことができ、１つの弾性部材はロッド状部材の各々の端部に取り付けられる。
【００１３】
器具は、電子レンジ、又は伝統的な、マイクロ波、スチーム、又はグリル又はあらゆる他の好適な調理技術のあらゆる組み合わせをも含むオーブンであることが好適である。
【００１４】
本発明の利点は、ラックアセンブリを、ラックが（ベーコン、ソーセージ、バーガー、トースト等の調理に有益）比較的高い配向、及びラックが（丸ごと又は半分のチキン、又は大きな肉の塊等の調理に有益）比較的低い配向のいずれにも設置可能であるということである。このように、２つの高さの調理が、１つの付属品によって提供される。
【００１５】
本発明は、特に電子レンジ及びグリル機能を含むより小さい調理器具の付属品として有利である。
【００１６】
支持体が付属品に対して剛性及び支持を提供するばかりではなく、ハンドルとして重要な役割を演ずることは、さらに別の利点である。これにより、調理器具に挿入及び調理器具から取り外すときに、付属品のより簡単で安全な取り扱いが可能となる。
本発明は、異なるサイズの孔、又はクロスバー間の異なる又は多様な間隔を用いることによって、様々な種類及びサイズの食品を有利に支持することができる。
【図面の簡単な説明】
【００１７】
【図１】（従来技術）電子レンジのための公知のラックアセンブリを示す。
【図２ａ】本発明の実施形態による「高ラック」配向のラックアセンブリを示す。
【図２ｂ】本発明の実施形態による「低ラック」配向のラックアセンブリを示す。
【図３ａ】打ち抜き長方形を用いた、図２のラックアセンブリのためのラックの代替的な実施形態を示す。
【図３ｂ】（打ち抜き穴を用いた、図２のラックアセンブリのためのラックの代替的な実施形態を示す。
【図４】本発明の別の実施形態における支持体の代替的な形態の端面図である。
【図５】代替的な支持体を用いる本発明のさらに別の実施形態を示す。
【図６】非長方形ラックを用いる本発明のさらに別の実施形態を示す。
【発明を実施するための形態】
【００１８】
本発明の実施形態が、添付図を参照して、一例として、ここで詳細に説明される。
【００１９】
説明及び図面において、同じ番号は、同じ要素を指定するために用いられる。
【００２０】
図１（従来技術）を参照すると、全体が２よって示される電子レンジ用の公知のラックアセンブリが示されている。ラックアセンブリ２は、ラック４と３つの支持体（脚）６から成る。ラック４は、円形フレーム８と、多数の規則的に離間されたクロスバー１０とを含む。クロスバー１０間の間隔１２は、一様であり比較的広く、それ故、ラックアセンブリは皿又はその類似物を支持することができるが、このことは単一の高さにおいてのみ可能であり、幅広い間隔は、例えばソーセージのような小さい食品の調理には適さない可能性がある。
【００２１】
図２は、全体が２０２により示される、本発明の実施形態によるラックアセンブリを示す。図２（ａ）は、「高ラック」配向におけるラックアセンブリ２０２を示し、これはベーコン、ソーセージ、バーガー、トースト等の調理に適している。ラックアセンブリ２０２は、ラック２０４と、２つの支持体２０６から成り、各々の支持体は、２つの脚２０７と、２つの「足」２０９とを含む。ラック２０４は、長方形フレーム２０８と、多数の離間されたクロスバー２１０とを含む。（代替的には、フレーム２０８は正方形である。）ラックアセンブリ２０２は、好適には、約３から４ｍｍの厚さ、又は、より大きな強度が必要である場合には、それもより厚い厚金属線（例えばクロムめっき鋼）から作られる。溶接又は他の好適な固定法によって、クロスバー２１０はフレーム２０８に取り付けられ、フレーム２０８は支持体２０６に取り付けられる。
【００２２】
支持体２０６はフレーム２０８の短い辺２１１に取り付けられて示されるが、代替的実施形態においては、支持体２０６はフレーム２０８の長い辺２１３に取り付けてもよい。
【００２３】
支持体２０６は、一般に正方形であり（長方形であってもよいが）、フレーム２０８が支持体２０６に取り付けられる地点Ｐは、支持体２０６の上部から距離ｘにあり、高さＨを有する。本発明によれば、ラック２０８は高さＨの上部、又は半分の高さには位置せず、図の例においては、（ｘ／Ｈ）×１００が約２５％である。しかしながら、（ｘ／Ｈ）×１００は、約１０から４０％であってもよい。
【００２４】
この非対称の設計は、ラックアセンブリ２０２が逆さになり、第２の可能な配向（図２（ｂ））になったときに、ラック２０４が低い高さになることを意味する（丸ごと又は半分のチキン、又は大きな肉の塊等の調理に適している）。
【００２５】
クロスバー２１０間の間隔２１２は一様とすることができるが、図示実施形態においては、一様ではない。再度図２（ｂ）を参照すると、ラック２０４は、３つの部分２１４、２１６及び２１８に分割される。外側部分２１４及び２１８においては、クロスバー２１０間の間隔２１２'は、比較的大きい（約２０から２５ｍｍ）が、中央部２１６においては、クロスバー２１０間の間隔２１２”は比較的小さい（約１０から１５ｍｍ）。代替的な形態においては、間隔２１２は、ラック２０４に沿って、徐々に、中央の小さいサイズから端部の大きいサイズに変化することができる。そのような構成は、丸ごとチキンや大きな肉の塊のような大きな物体の重力中心のために、中間により大きな支持があることを意味する。
【００２６】
図３は、（ａ）打ち抜き長方形を用いた、（ｂ）打ち抜き穴を用いた、図２のラックアセンブリ２０２のためのラック２０４の代替的な実施形態を示す（ラック２０４の一部分のみを示す）。図３（ａ）においては、ラックは、長方形の穴２２２が（通常の技術を用いて）製造工程で打ち抜かれた（例えば、鋼、アルミニウム、めっき鋼又はエナメル鋼のような）平らなプレート２２０を示す。図２（ｂ）においては、ラック２０４は、打ち抜き穴２２２'が円形であること以外は、図３（ａ）におけるのと同様の形態を有する。
【００２７】
図４は、本発明の別の実施形態における、支持体２０６'の代替的な形態の端面図である。これは、支持体２０６'が正方形ではなく「Ｘ」の形状であること以外は、最初に述べた実施形態と同様である。各々の支持体２０６'は、地点２３２で溶接される２つの部分２３０を含み、ラック２０４は、地点２３４で支持体２０６'に溶接される。
【００２８】
図５は、本発明のさらに別の実施形態を示す。これは、支持体２０６がロッド状部材５０２を含み、各々の部材５０２が、その各々の端部に取り付けられた端部材又は足５０４を有すること以外は、図２の実施形態と同様である。一対の部材５０２は、ラック２０４の短い辺２１１の各々に取り付けられる。端部材５０４は、好適には、例えば、ゴム又はシリコンゴムから成る丸い又は円錐状に先細になった足を含む。この場合も、ロッド状部材５０２は、ラック２０４の長い辺２１３に、等しく取り付け可能である。
【００２９】
図６は、本発明のさらに別の実施形態を示す。これは、ラック２０４が円形であること以外は、その他の実施形態と同様である。支持体２０６は、図５の実施形態におけるのと同様である。
【符号の説明】
【００３０】
２０２：ラックアセンブリ
２０４：ラック
２０６：支持体
２０７：脚
２０８：フレーム
２０９：足
２１０：クロスバー
【図１】
2009541700.tif 000003
【図２ａ】
2009541700.tif 000004
【図２ｂ】
2009541700.tif 000005
【図３ａ】
2009541700.tif 000006
【図３ｂ】
2009541700.tif 000007
【図４】
2009541700.tif 000008
【図５】
2009541700.tif 000009
【図６】
2009541700.tif 000010
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
家庭用器具のためのラックアセンブリであって、
表面上に分散された複数の孔を有するラックと、
各々が前記ラックに固定的に取り付けられて、前記ラックアセンブリを電子レンジ内の少なくとも第１の配向及び第２の配向において支持するようにされた、少なくとも２つの支持体と、
を含み、前記第２の配向は前記第１の配向とは異なるものであり、
前記ラックは非対称構成で前記支持体に取り付けられて、使用中、前記ラックの高さは、前記ラックアセンブリが前記第１の配向にあるときに前記第２の配向にあるときよりも高くなるようにすることを特徴とするラックアセンブリ。
【請求項２】
前記第２の配向は前記第１の配向と実質的に対向することを特徴とする請求項１に記載のラックアセンブリ。
【請求項３】
前記少なくとも２つの支持体の各々は、少なくとも１つの脚と、少なくとも１つの足とを含み、前記脚は前記ラックに取り付けられており、
前記脚は細長く、前記ラックは、一方の端部より他方の端部に近い地点で前記脚の各々に取り付けられる
ことを特徴とする請求項１又は請求項２に記載のラックアセンブリ。
【請求項４】
前記支持体の各々に対して、前記ラックは、その長さに沿って、約１０から約４０％の地点に取り付けられることを特徴とする請求項１、請求項２又は請求項３に記載のラックアセンブリ。
【請求項５】
前記ラックは、前記ラックに取り付けられ互いに平行に延びる複数のクロスバーを有するフレームを含み、前記クロスバー間の間隔は前記孔を形成することを特徴とする前記請求項のいずれかに記載のラックアセンブリ。
【請求項６】
隣接する前記クロスバー間の間隔は約１０ｍｍから約２５ｍｍであることを特徴とする請求項５に記載のラックアセンブリ。
【請求項７】
隣接する前記クロスバー間の間隔は、前記ラックの縁より前記ラックの中間点において小さいことを特徴とする請求項５又は請求項６に記載のラックアセンブリ。
【請求項８】
隣接する前記クロスバー間の間隔は、前記ラックの前記中間点では約１０ｍｍから約１５ｍｍの間であり、前記ラックの前記縁では約２０ｍｍから約２５ｍｍの間であることを特徴とする請求項７に記載のラックアセンブリ。
【請求項９】
隣接する前記クロスバー間の間隔は、前記中間点から前記端部まで徐々に変化することを特徴とする請求項７又は請求項８に記載のラックアセンブリ。
【請求項１０】
前記ラックは、少なくとも４つの辺を有し、例えば正方形又は長方形であり、支持体は前記辺の少なくとも２つに取り付けられることを特徴とする前記請求項のいずれかに記載のラックアセンブリ。
【請求項１１】
各々の前記支持体は、一対の脚と一対の足を含むことを特徴とする請求項１０に記載のラックアセンブリ。
【請求項１２】
前記ラックは一般に長方形であり、前記支持体が取り付けられる２つの短い辺を有することを特徴とする請求項１０又は請求項１１に記載のラックアセンブリ。
【請求項１３】
前記クロスバーは前記長方形ラックの前記２つの長い辺の間に延びることを特徴とする請求項１２に記載のラックアセンブリ。
【請求項１４】
前記ラックは一般に円形であり、少なくとも３つの支持体を含むことを特徴とする請求項１から請求項９のいずれかに記載のラックアセンブリ。
【請求項１５】
前記支持体は、ロッド状部材を含み、前記足は弾性部材を含み、１つの前記弾性部材は前記ロッド状部材の各々の端部に取り付けられることを特徴とする請求項２又はこれに従属するいずれかの請求項に記載のラックアセンブリ。
【国際調査報告】
2009541700.tif 000011
2009541700.tif 000012
2009541700.tif 000013